(57)【要約】【課題】本発明は、受け側としてＵＳＢポートを備える筺体にＵＳＢメモリ形状の無線通信器の抜け落ちを防止する機構を備えたコントローラを提供することである。【解決手段】本発明のコントローラ１０は、無線通信器１０３を接続することで、電気機器と通信する無線方式を追加するコントローラ１０である。コントローラ１０は、無線通信器１０３を接続するポート２１を備える通信回路基板２０と、通信回路基板２０を収容しポート２１の挿入口を外部に露出させるポート孔１３を有する筺体１１とを備える。コントローラ１０は、無線通信器１０３とポート２１との係合部分を固定するロック機構３０を備える。【選択図】図２
2017068970.tif 000002
【特許請求の範囲】
【請求項１】
無線通信器を接続することで、
電気機器と通信する無線方式を追加するコントローラであって、
前記無線通信器を接続するポートを備える通信回路基板と、
前記通信回路基板を収容し、前記ポートの挿入口を外部に露出させるポート孔を有する筺体と、
を備え、
前記無線通信器と前記ポートとの係合部分を固定するロック機構を備えるコントローラ。
【請求項２】
請求項１において、
前記ポートは、前記無線通信器のコネクタに設けられた凹部に嵌まり込む凸部を有し、
前記凸部は先端を前記凹部に挿入し、前記先端が通信部と接触することで導通し、
前記ロック機構は、
前記ポートの周壁との間に間隙を有して前記ポートの周壁を覆う筒状の囲み部と、
前記囲み部をロック状態と解除状態とで移動させる切り替え部と、
を備え、
前記囲み部は、前記間隙に、前記ポートの周壁に対向する突起部を有し、
前記切り替え部は、
前記突起部を、前記凹部に嵌まり込む前記凸部の上面を押し圧する配置とするロック状態と、
前記突起部を、前記凹部に嵌まり込む前記凸部の上面を押し圧しない配置とする解錠状態と
を切り替え可能であるコントローラ。
【請求項３】
請求項１または請求項２において、
前記切り替え部は、
前記囲み部の外面から延出した第１切り替え部材と第２切り替え部材とを備え、
前記第１切り替え部材の先端と前記第２切り切り替え部材の先端は、
前記筺体の壁面から突出するコントローラ。
【請求項４】
請求項３において、
前記第１切り替え部材と前記第２切り替え部材は、
前記囲み部の対称外面から延出し、
前記第１切り替え部材の先端と前記第２切り替え部材の先端は、
前記筺体の対称壁面から突出するコントローラ。
【請求項５】
請求項２乃至４のいずれか一項において、
前記囲み部は、
前記突起部を有する第１面と、
前記突起部を有さない第２面と、を備え、
前記第１切り替え部材と前記第２切り替え部材は、
それぞれ対称位置にある前記第２面の外面から、対称位置にある前記筺体の壁面に向けて対称方向に延出する直線形状であって、
前記第１切り替え部材の先端を前記筺体の外壁面に近づけることで前記囲み部を前記ポートの周壁上をスライドさせ前記ロック状態とし、
前記第２切り替え部材の先端を前記筺体の外壁面に近づけることで前記囲み部を前記ポートの周壁上をスライドさせ前記解錠状態とするコントローラ。
【請求項６】
請求項１乃至５における、少なくともいずれか一項において、
前記突起部は、先端に傾斜を設けるコントローラ。
【発明の詳細な説明】
【技術分野】
【０００１】
本発明は、コントローラにＵＳＢメモリ形状の無線通信器を差し込むことで、電気機器と通信する無線方式を追加するコントローラに関するものである。
【背景技術】
【０００２】
近年、ＨＥＭＳコントローラのように電気機器と通信するコントローラがある。このようなコントローラへの無線方式の搭載方法としては、必要な無線方式だけを後からコントローラにＵＳＢメモリ形状の無線通信器を差し込むことで追加する方法が考えられる。
従来のＵＳＢメモリ形状の無線通信器は、受け側としてＵＳＢポート側に設けられた山形状のロック片を、無線通信器のコネクタに形成された孔部に係合させる係止構造であった。このため、係止力が比較的弱く、無線通信器側に振動や外力が作用すると、係合が解除されて抜ける虞があった。
【０００３】
上述した問題の対策として、特許文献１には、無線通信器のコネクタにキャップを用いて受け側としてＵＳＢポートとの抜けを防止するようにしたコネクタの抜け防止機構が提案されている。この文献では、無線通信器のコネクタを樹脂成形部品のキャップ内に嵌め込んで收容すると共に、キャップに設けられた爪部を受け側としてＵＳＢポートを備える筺体の孔に係合させて固定する抜け防止構造が提案されている。
【先行技術文献】
【特許文献】
【０００４】
【特許文献１】特開２００１−１３５４１３号公報
【発明の概要】
【発明が解決しようとする課題】
【０００５】
しかしながら、コネクタの抜け防止構造が設けられていない従来のＵＳＢメモリ形状の無線通信器は、コネクタに振動や外力が作用すると、容易に抜けてしまう虞がある。
本発明は、前記の問題点に鑑みてなされたものであり、その目的とするところは、受け側としてＵＳＢポートを備えるコントローラの筺体側にＵＳＢメモリ形状の無線通信器の抜け落ちを防止する機構を備えたコントローラを提供することである。
【課題を解決するための手段】
【０００６】
本発明のコントローラは、無線通信器を接続することで、電気機器と通信する無線方式を追加するコントローラである。コントローラは、無線通信器を接続するポートを備える通信回路基板と、通信回路基板を収容しポートの挿入口を外部に露出させるポート孔を有する筺体とを備える。コントローラは、無線通信器とポートとの係合部分を固定するロック機構を備える。
【発明の効果】
【０００７】
本発明は、受け側としてＵＳＢポートを備える筺体にＵＳＢメモリ形状の無線通信器の抜け落ちを防止する機構を備えたコントローラを提供することである。
【図面の簡単な説明】
【０００８】
【図１】本発明の実施形態に係るコントローラを含むシステム構成図。
【図２】本発明の実施形態に係るロック機構を備えるコントローラの構成図。
【図３】本発明の実施形態に係るコントローラのポートと無線通信器のコネクタにおける構成図。
【図４】本発明の実施形態に係るコントローラのロック機構における構成図。
【図５】（ａ）本発明の実施形態に係るコントローラのロック機構におけるロック状態の構成図。 (ｂ) 本発明の実施形態に係るコントローラのロック機構における解錠状態の構成図。
【発明を実施するための形態】
【０００９】
（第一の実施形態）
本発明の一実施形態に係るコントローラ１０は、図１に示すように、宅内において、宅内通信網ＮＴ１（有線通信ＣＬ１や無線通信ＣＬ２）と、インターネットのような電気通信回線ＮＴ２との間に介在する。コントローラ１０は、有線通信ＣＬ１や無線通信ＣＬ２で電気機器１０１と通信し、電気通信回線ＮＴ２を通して上位装置１００と通信する装置である。上位装置１００は、たとえば、住宅への電力供給に関するサービスを行う事業者が保有するサーバなどを意味する。電気機器１０１は、空調装置や照明装置、給湯器、蓄電装置などを示す。
【００１０】
コントローラ１０は、住宅に節電を要求するためのＤＲ情報（ＤＲ：Ｄｅｍａｎｄ Ｒｅｓｐｏｎｓｅ）を上位装置１００から電気通信回線ＮＴ２を通して受信すると、ＤＲ情報を受け入れ、宅内通信網ＮＴ１（有線通信ＣＬ１や無線通信ＣＬ２）を介して電気機器１０１の消費電力を管理する機能を果たす装置である。つまりコントローラ１０は、有線通信ＣＬ１や無線通信ＣＬ２を介して上位装置１００や電気機器１０１と通信する構成を有する。無線通信ＣＬ２で電気機器１０１との通信を実現する手段としては、ＵＳＢメモリ形状の無線通信器１０３をコントローラ１０に接続することで、無線方式をコントローラ１０に追加する対策がとられている。
【００１１】
以下、図２乃至図４を参照して、無線通信器１０３及びコントローラ１０の構成について説明する。
【００１２】
無線通信器１０３は、図２（ｄ）に示すように、特定無線で送受信する通信部を収容する本体１０４と、コントローラ１０と接続するコネクタ１０５とを備える。コネクタ１０５は、図３に示すように、周壁に凹部１０６を有する。この周壁の内部に本体１０４に収容される通信部と導通する通電部（不図示）を備える。
【００１３】
コントローラ１０は、通信回路基板２０とロック機構３０と、これらを収容する筺体１１と、を備える。図２（ａ）に示すように、通信回路基板２０は、コントローラ１０の制御機能を担うＣＰＵに加え、コネクタ１０５を挿入させる受け側としてポート２１を搭載する。図３に示すように、ポート２１は、無線通信器１０３のコネクタ１０５に備わる凹部１０６に嵌まり込む凸部２２を備える。凸部２２は、バネ形状になっており先端に接点２３を備える。この接点２３が凹部１０６に挿入し係合する。これにより、通信回路基板２０は、無線通信器１０３の通信部と導通することとなる。ポート２１の挿入口に無線通信器１０３のコネクタ１０５を挿入し導通することで、コントローラ１０は、無線ＣＬ２を用いて電気機器１０１と通信ができるようになる。つまり、上位装置１００からの信号を電気通信回路ＮＴ２を介して通信回路基板２０のＣＰＵに出力し、電気機器１０１に対する制御信号を構築する。そして、制御信号を宅内通信網ＮＴ１もしくは無線通信器１０３を介して電気機器１０１に出力し、電気機器１０１を制御するシステムが実現する。
【００１４】
図２（ｃ）に示すように、筺体１１は、電源の起動状態、例えばオンオフを表示する表示部１２と、無線通信器１０３のコネクタ１０５を挿入するポート２１の挿入口を露出させるポート孔１３と、ロック機構３０の一部を露出させる開口１４を備える。本実施形態では、筺体１１は表示部１２を備える面を前面として全６面の略直方体で構成されている場合を例に説明を行う。また、ポート孔１３は、前面に備える。開口１４は、右側面と左
側面に備える。だたし、筺体１１の構造は、直方体を限定するものではなく、面と面との境目をシームレス構造にしても、大きな面をカーブさせて構成しても良いものとする。ポート孔１３の位置や、開口１４の位置に関しても、これに限るものではない。
【００１５】
図２（ｂ）に示すように、ロック機構３０は、ポート２１の周壁に配置された部材であって、ポート２１の周壁上をスライドさせることでロック状態と解除状態とを切りかえるものとする。ポート２１に無線通信器１０３のコネクタ１０５を挿入した際に、コネクタ１０５がポート２１から抜けにくくするロック状態と、容易に抜けるようにする解除状態とを備える。ロック状態は、コネクタ１０５の凹部１０６と、ポート２１の凸部２２とが係合している箇所を、押し圧することで凹部１０６と凸部２２の結合を強めコネクタの抜け防止を実現する。解除状態は、コネクタ１０５の凹部１０６と、ポート２１の凸部２２とが係合している箇所を押し圧しないようにすることで凹部１０６と凸部２２の結合に自由を持たせコネクタ１０５を抜けやすくする状態を実現する。
【００１６】
以下、図４を参照して、ロック機構３０の構造説明を行う。ロック機構３０は、ポート２１の周壁の一部を覆う筒状の囲み部３１と、囲み部３１をロック状態と解除状態とを移動可能な切り替え部３２とを備える。
【００１７】
囲み部３１は、囲み部３１の内面とポート２１の周壁との間に間隙を設け、ポート２１の周壁を覆う。囲み部３１は、ポート２１の凸部２２が備わる面を覆う第１面３３と、凸部２２が備わらない面を覆う第２面３４とを含む。第１面３３は、内面に、ポート２１の周壁と対向する突起部３５を備える。突起部３５は、例えば、ポート２１に備わる凸部２２に対応させて１つの面に２つ備え、それぞれ凸部２２と同間隔で備える。突起部３５は、先端に傾斜を設ける。凸部２２の個数については、１つの面に２つに限るものではない。
【００１８】
切り替え部３２は、第１切り替え部材３６と第２切り替え部材３７とを備える。第１切り替え部材３６と第２切り替え部材３７は、囲み部３１の外面から延出し、先端を筺体１１の壁面から外部に突出させる。第１切り替え部材３６は、例えば、左側面に向けて囲み部３１の第２面から延出し、先端を第１切り替え部材３６の先端は左側面から突出させる。第２切り替え部材３７は、例えば、右側面に向けて囲み部３１の第２面から延出し、先端を第２切り替え部材３７の先端は右側面から突出させる。つまり、第１切り替え部材３６と第２切り替え部材３７は、囲み部３１の対称外面から対称方向に延出する。また、第１切り替え部材３６の先端と、第２切り替え部材３７の先端は、筺体１１の対称壁面から対称方向に突出する。これより、筺体１１の外部から第１切り替え部材３６の先端もしくは第２切り替え部材３７の先端を筺体１１の外壁面に近づけることで、囲み部３１をポート２１の周壁上をスライドさせることができる。本実施形態では、第１切り替え部材３６の先端を左側面の外壁面に近づけ囲み部３１をスライドさせることでロック状態となり、第２切り替え部材３７の先端を右側面の外壁面に近づけ囲み部３１をスライドさせることで解錠状態となる。囲み部３１をスライドさせる方向については、これに限らない。また、第１切り替え部材３６と第２切り替え部材３７が延出する囲み部３１の外面や、第１切り替え部材３６の先端と第２切り替え部材３７の先端を突出させる筺体１１の壁面についても限定するものではない。
【００１９】
以下、図５を参照して、ロック状態と解錠状態の説明をする。図５（ａ）がロック状態を表し、図５（ｂ）が解錠状態を表す。
【００２０】
ロック状態は、第１切り替え部材３６の先端を左側面に近づけることで、囲み部３１の突起部３５を、コネクタ１０５の凹部１０６に嵌まり込むポート２１の凸部２２の上面に配置する。これによって、ポート２１の凸部２２からコネクタ１０５の凹部１０６に押し
圧がかかり、凹部１０６と凸部２２の結合を強めコネクタの抜け防止を実現する。
解除状態は、第２切り替え部材３７の先端を右側面に近づけることで、囲み部３１の突起部３５を、コネクタ１０５の凹部１０６に嵌まり込むポート２１の凸部２２の上面を押し圧しない場所に配置する。これによって、ポート２１の凸部２２からコネクタ１０５の凹部１０６に押し圧がかからなくなり、凹部１０６と凸部２２の結合部分に自由を持たせることができ、凸部２２のバネ力を利用してコネクタ１０５の凹部１０６をポート２１の凸部２２から外すことを実現する。
【００２１】
以上、この構成によって、もし仮に、無線通信器１０３の本体１０４が外部物体に、急に接触した場合でも、ロック状態にしていれば、無線通信器１０３の抜け落ちを防ぐことが期待できる。また、ロック機構を設けることで、無線通信器１０３のコネクタ１０５が完全にポート２１に挿入していない状態に気づきやすくする効果も期待できる。
【符号の説明】
【００２２】
１０  コントローラ
１３  ポート孔
２０  通信回路基板
２１  ポート
２２  凸部
３０  ロック機構
３１  囲み部
３２  切り替え部
３３  第１面
３４  第２面
３５  突起部
３６  第１切り替え部材
３７  第２切り替え部材
１０３  無線通信器
１０４  本体
１０５  コネクタ
１０６  凹部
【図１】
2017068970.tif 000003
【図２】
2017068970.tif 000004
【図３】
2017068970.tif 000005
【図４】
2017068970.tif 000006
【図５】
2017068970.tif 000007